(57)【要約】   【課題】  長時間の連続使用できる太陽エネルギー照明付き傘を提供する。  【解決手段】本考案の太陽エネルギー照明付き傘は、太陽エネルギー装置１０２、複数の親骨２０２、複数の発光エレメント３０５が含まれている。該太陽エネルギー装置は、傘の柄２０１の先端部分に固定されており、各親骨は、傘の柄にそれぞれ接合している。また、これらの親骨２０２は電線を格納するために中空となっており、透明のロングバー３０３を取り付けるためのスリット３０１も設けられている。前記の発光エレメントはオープンスペースから前記透明のロングバーの先端に取り付けられる。発光エレメントとしては、太陽エネルギー装置から供給されるエネルギーを節約するために、発光ダイオードが最もよく利用される。傘の親骨には遮蔽のために生地が張られている。【選択図】  図２
0003107207.tif 000002
【実用新案登録請求の範囲】
【請求項１】
第一環状連結器に放射状に連接されている、少なくとも２本の透明のロングバーを有し、２本の透明のロングバーの間にオープンスペースが設けられている複数の親骨と、
片端が電源供給器に接続され、もう一端が前記２本の透明のロングバーより形成されたオープンスペースに固定した少なくとも二つの発光エレメントに接続する電線と、
片端がそれぞれ前記の親骨に連接され、もう一端部が前記傘の柄に嵌合し、且つ傘の柄に沿って上下移動できる中空状の第二環状連結器に連接した複数の受骨と、
を含むことを特徴とする太陽エネルギー照明付き傘。
【請求項２】
前記電源供給器は、傘の柄頂部に固定されている太陽エネルギー装置であることを特徴とする請求項１に記載の太陽エネルギー照明付き傘。
【請求項３】
前記親骨には２本のエッジからなる細長スリットがあり、前記透明のロングバーの両側には２本のエッジに対応し得る２本のスロットがあることを特徴とする請求項１又は請求項２に記載の太陽エネルギー照明付き傘。
【請求項４】
前記親骨は、前記電線を格納するため、中空状に形成されていることを特徴とする請求項１乃至請求項３のいずれかに記載の太陽エネルギー照明付き傘。
【請求項５】
前記透明のロングバーのオープンスペースに近い端部には、前記発光エレメント固定用の固定支座があることを特徴とする請求項１乃至請求項４のいずれかに記載の太陽エネルギー照明付き傘。
【請求項６】
前記第二連結器には一つのピンが付けられ、前記傘の柄には該ピンを差し込める少なくとも一つの穴が設けられていることを特徴とする請求項１乃至請求項５のいずれに記載の太陽エネルギー照明付き傘。
【請求項７】
前記発光エレメントは、発光ダイオードであることを特徴とする請求項１乃至請求項６のいずれに記載の太陽エネルギー照明付き傘。
【請求項８】
前記透明のロングバーの材質は、アクリルプラスチックであることを特徴とする請求項１乃至請求項７のいずれに記載の太陽エネルギー照明付き傘。
【請求項９】
前記透明のロングバーは、導光性があることを特徴とする請求項１乃至請求項８のいずれに記載の太陽エネルギー照明付き傘。
【請求項１０】
前記透明のロングバーは、散光性があることを特徴とする請求項１乃至請求項９のいずれに記載の太陽エネルギー照明付き傘。
【請求項１１】
前記親骨の材質は、アルミであることを特徴とする請求項１乃至請求項１０のいずれに記載の太陽エネルギー照明付き傘。
【考案の詳細な説明】
【技術分野】
【０００１】
本考案は、太陽エネルギーで発光可能な傘で、とくに太陽エネルギーによる照明機構が付いた傘に関する。
【背景技術】
【０００２】
人にとっての傘はさまざまな役割を果たす道具である。小型の傘は、軽くて携帯に便利であり、大型の傘は重くて屋外または海辺で使われることが多く、これらは雨や日光をさえぎるように設計されている。さらに発光傘は、照明機能を伴う設計となっており、屋外装飾などと同様に、夜間の活動または営業に便利である。
【０００３】
最近の発光傘の電源は太陽エネルギーから供給される仕組みになっており、この方法は外部の電源に接続するためのコンセントまたは延長コードを必要としないことから、広く普及している。一般的な太陽エネルギー装置は、すべてが充電用電池と太陽エネルギーパネルを備えており、傘に固定されている発光エレメントの電源は、太陽エネルギー装置から供給されている。これにより、日中は、太陽光によるエネルギーを供給することによって電池が充電され、夜間は、貯蔵されている電力を利用して、発光エレメントに発光に必要な電力を供給することができる。
【０００４】
太陽エネルギーを利用した従来の発光傘には次のような欠点がある。1つは発光エレメントが大量のエネルギーを消耗するために、電池に貯蔵されたエネルギーの消耗が早く、照明の持続時間も非常に短くなるということである。もう1つは、発光エレメントの寸法が大きいために、これを隠すためには、この部品を取り付ける装置の寸法も大きくせざるを得なくなるということである。
【特許文献１】記載なし
【考案の開示】
【考案が解決しようとする課題】
【０００５】
前記の問題点を鑑み、本考案は、長時間の連続使用できる太陽エネルギー照明付き傘を提供する。
【課題を解決するための手段】
【０００６】
本考案の太陽エネルギー照明付き傘は、傘の柄と、複数の親骨、複数の受骨、透明のロングバー及び太陽エネルギー装置が含まれている。該太陽エネルギー装置は、傘の柄の先端部分に固定されている。各親骨は、傘の柄にそれぞれ接合されており、各受骨の一端は、傘の柄にある上下移動できる第二連結器に接合されており、もう一端は親骨に接合されている。また、それぞれの親骨は電線を格納するために中空となっており、２本の透明なロングバーを取り付けるためのスリットが設けられている。さらに、親骨の中間部分において嵌め込まれているこの２本の透明なロングバーの間にオープンスペースが作られている。中空の親骨の中に電線が通っており、この電線の一端は太陽エネルギー装置に接続され、もう一端は２つの発光ダイオードに接続されている。発光ダイオードはそれぞれの透明の導光バーに固定されるが、その場所は、前記した親骨の中間部分にある２本の導光バーより作られたオープンスペースである。このオープンスペースは親骨のほぼ中間にある。
【０００７】
更に具体的には、（１）第一環状連接器に放射状に連接されている、少なくとも２本の透明のロングバーを有し、２本の透明のロングバーの間にオープンスペースが設けられている複数の親骨と、片端が電源供給器に接続され、もう一端が前記２本の透明なロングバーより形成されたオープンスペースに固定した少なくとも二つの発光エレメントに接続する電線と、片端がそれぞれ前記の親骨に連接され、もう一端部が前記傘の柄に嵌合し、且つ傘の柄に沿って上下移動できる中空状の第二環状連接器に連接した複数の受骨とを含むことを特徴とする太陽エネルギー照明付き傘。
（２）前記電源供給器は、傘の柄頂部に固定されている太陽エネルギー装置であることを特徴とする前記第１項に記載の太陽エネルギー照明付き傘。
（３）前記親骨には２本のエッジからなる細長スリットがあり、前記透明のロングバーの両側には２本のエッジに対応し得る２本のスロットがあることを特徴とする請求項１又は請求項２に記載の太陽エネルギー照明付き傘。
（４）前記親骨は、前記電線を格納するため、中空状に形成されていることを特徴とする前記第１項乃至第３項のいずれかに記載の太陽エネルギー照明付き傘。
（５）前記透明のロングバーのオープンスペースに近い端部には、前記発光エレメント固定用の固定支座があることを特徴とする前記第１項乃至第４項のいずれかに記載の太陽エネルギー照明付き傘。
（６）前記下ロクロには一つのピンが付けられ、前記傘の柄には該ピンを差し込める少なくとも一つの穴が設けられていることを特徴とする前記第１項乃至第５項のいずれかに記載の太陽エネルギー照明付き傘。
（７）前記発光エレメントは、発光ダイオードであることを特徴とする前記第１項乃至第６項のいずれかに記載の太陽エネルギー照明付き傘。
（８）前記透明のロングバーの材質は、アクリルプラスチックであることを特徴とする前記第１項乃至第７項のいずれかに記載の太陽エネルギー照明付き傘。
（９）前記透明のロングバーは、導光性があることを特徴とする前記第１項乃至第８項のいずれかに記載の太陽エネルギー照明付き傘。
（１０）前記透明のロングバーは、散光性があることを特徴とする前記第１項乃至第９項のいずれかに記載の太陽エネルギー照明付き傘。
（１１）前記親骨の材質は、アルミであることを特徴とする前記第１項乃至第１０項のいずれかに記載の太陽エネルギー照明付き傘。
【考案の効果】
【０００８】
本考案の太陽エネルギー照明付き傘は、すでに製造されており、前述したように消費力の少ない発光ダイオード及び、導光性のあるロングバーを使うことにより、均一で快適な光源を有する、長時間の連続使用が可能な太陽エネルギー照明を有する傘を提供することにある。
【０００９】
なお、本考案の他の目的、特徴及び利点は、下記のように、図面に基づく詳細な説明から一層明瞭に示される。
【考案を実施するための最良の形態】
【００１０】
図1、本考案の太陽エネルギー照明付き傘の斜視図である。生地101は本考案の傘の骨組構造を覆っており、太陽エネルギー装置102は生地101を通して本考案の骨組構造の中央に固定されている。
【００１１】
図２は、本考案の太陽エネルギー照明付き傘の斜視図である。図２に示すとおり、傘の複数の親骨202は、第一環状連結器203で傘の柄201に接合されており、第一環状連結器203から外側に向かって放射状に伸びている。第一環状連結器203は、傘の柄201の先端部分に取り付けられている。傘の受骨204の片端が、親骨202に、もう一端が第二環状連結器205に接合されている。第二環状連結器205は、傘の柄201に嵌合した中空状のものであるため、傘の柄201に沿って上下移動ができる。受骨204も親骨と同様第二連結器205から外側に向かって放射状に伸びている。
【００１２】
また、ピン206はチェーンで第二連結器205に連結されており、傘の柄201には該ピンを差込ための少なくとも1つの穴207が開けられている。傘を開いた際には、第二連結器205と受骨204を上下移動させて適切な位置を定めてから、このピン206を該位置に最も近くにある穴207に差し込むことで、第二連結器205を固定して、傘を開いた状態で保持することができる。本考案の傘は、ピン206を引き抜いて第二連結器205を下方に移動させることにより、折りたたむことができる。
【００１３】
太陽エネルギー装置102は、傘の柄201の先端部分に固定されている。本考案の実施例では、ボルトとボルト穴による、ねじ式で固定している。図３は、本考案の太陽エネルギー装置と電線に接続する電気コネクタの斜視図である。図面に示すように複数の電線209は、電気コネクタ208によって、太陽エネルギー装置102に接続されている。
【００１４】
図４は、親骨202の分解図である。図面に示すように、親骨202は軸方向で中空状態になっており、これによって電線209は中空の親骨202に通されて、この中に取り付けられる。少なくとも二つの発光エレメント305は、この電線209の片端に取り付けられている。また、図４に示すように各親骨202にはスリット301があり、スリット301の両縁には２本のエッジ302が設けられている。少なくとも２本の透明のロングバー303が各親骨202に取り付けられている。この透明のロングバー303は、上半分は半円形で下半分には細長いスロット304があり、このスロット304は親骨202にある２本のエッジ302と噛みこんでいる。透明のロングバー303は親骨202の両端から挿入されるため、親骨202の中間部において対向する２本の透明のロングバー303によりオープンスペースが形成されている。電線209に接続した発光エレメント305は、該透明のロングバー303の先端に設けた固定支座306に挿入される。
【００１５】
図５は、本考案の発光エレメントを取り付けられている親骨中間部の拡大図であり、キャップ307が親骨の一端にはめ込んだものである。
【００１６】
本考案の親骨202は、中空形とする必要があることから、アルミまたはその他の比較的軽量で、堅固な金属であればすべて使用可能である。さらに、このほかにも比較的硬い材質であれば木材の使用も可能である。本考案の実施例において、親骨202の材質はアルミ合金などの合金とし、その切断面は図４に示すように四方形となっているが、丸いパイプの使用も可能である。
【００１７】
また、本考案の実施例において、透明のロングバー303の材質はアクリルプラスチック（Acrylic-plastic）である。かつこの透明のロングバー303は、導光の作用を持ち、発光エレメント305から発せられる光源を発光エリアまで導く役割を果たす。本発明で用いているアクリルプラスチックは、透明で、光を分散し、散乱させることにより、光エネルギーを均一化して、快適な感覚を与えることができる。
【００１８】
本考案の発光エレメントは、従来の発光傘に使われている照明用の電球と発光ダイオードを利用することができるが、発光ダイオードの使用が好ましい。発光ダイオードが長間の発光を維持するために、本考案の太陽エネルギー装置には充電用電池が設置されている。また、本考案の透明のロングバー303は、透明で光を分散し、散乱させる性能があるため、小さな発光ダイオードから広範囲の発光エリアを生じさせる効果がある。
【００１９】
本実施例においては、照明用として、２本の透明のロングバーと２つの発光ダイオードのみが使用されているが、必要に応じて、親骨により多くの透明のロングバーと発光ダイオードを取り付けることができ、その場合は透明のロングバー２本が接する箇所ごとにオープンスペースを設けて、発光エレメントと電線を取り付ければよい。
【００２０】
以上の内容は、本考案を説明するための好適な実施例であり、これをもって本考案にいかなる制限を加えることも意図しておらず、同一の考案精神のもとで、本考案に係る何らかの修飾または変更を行った場合は、すべて本考案意図の保護範囲とする。
【図面の簡単な説明】
【００２１】
【図１】本考案の太陽エネルギー照明付き傘の斜視図である
【図２】本考案の太陽エネルギー照明付き傘の骨組構造の斜視図である。
【図３】本考案の太陽エネルギー装置と電線に接続する電気コネクタの斜視図である。
【図４】本考案の親骨の分解図である。
【図５】本考案の発光エレメントを取り付けられている親骨中間部の拡大図である。
【符号の説明】
【００２２】
１０１  生地
１０２  太陽エネルギー装置
２０１  傘の柄
２０２  親骨
２０３  第一連結器
２０４  受骨
２０５  第二連結器
２０６  ピン
２０７  穴
２０８  電気コネクタ
２０９  電線
３０１  スリット
３０２  エッジ
３０３  ロングバー
３０４  スロット
３０５  発光エレメント
３０６  固定支座
３０７  キャップ
【図１】
0003107207.tif 000003
【図２】
0003107207.tif 000004
【図３】
0003107207.tif 000005
【図４】
0003107207.tif 000006
【図５】
0003107207.tif 000007